(57)【特許請求の範囲】
【請求項１】
内部にハーネス挿通部が設けられたプロテクタの外部にアダプタ固定部が設けられ、コネクタを前記プロテクタに固定するアダプタを取り付けるアダプタ取付構造であって、
前記アダプタ固定部にはアダプタがスライドして嵌合するプロテクタ側ガイドレールが設けられ、
前記アダプタには、前記プロテクタ側ガイドレールにスライドして嵌合するアダプタ側ガイドレールが設けられ、
前記アダプタ固定部又は前記アダプタのいずれか一方にスライド方向に沿う案内溝を設け、いずれか他方に該案内溝に挿入してアダプタをアダプタ固定部の正規位置に位置決め案内する位置決めリブを設けたことを特徴とするアダプタ取付構造。
【請求項２】
請求項１記載のアダプタ取付構造であって、
前記案内溝は、少なくとも位置決めリブを挿入する開口端が前記プロテクタの側面に位置して視認可能であることを特徴とするアダプタ取付構造。
【発明の詳細な説明】
【技術分野】
【０００１】
本発明は、コネクタをプロテクタに固定するためのアダプタに関し、車両等に搭載されるアダプタの取付構造に関するものである。
【背景技術】
【０００２】
プロテクタに、例えば分岐ワイヤハーネス固定用の分岐用アダプタを取り付けることが特許文献１に提案されている。
【先行技術文献】
【特許文献】
【０００３】
【特許文献１】特開２０１１−３０３５９号公報
【発明の概要】
【発明が解決しようとする課題】
【０００４】
このようなプロテクタに分岐アダプタを取り付けるとき、取り付け位置であるアダプタのロックがアダプタの裏面にあり、作業者から見えない状態で、いわゆる目くら作業となるため、取り付けに手間がかかり、取り付け作業が面倒であった。
【０００５】
すなわち、図４に示すように、アダプタ１００に設けられるコネクタ固定部１０１をプロテクタ２００に設けられるアダプタ固定部２０１に挿入する際に、目くら作業で、斜め挿入した場合、アダプタ１００のガイドレール１０２とプロテクタ２００のガイドレール２０２とが完全に嵌合せず、半嵌合となるという問題があった。
【０００６】
そこで、本発明は、作業者から見えない目くら作業の状態であっても、プロテクタをアダプタに容易に、かつ、正規位置に取り付けることができるアダプタ取付構造を提供することを目的とする。
【課題を解決するための手段】
【０００７】
本発明請求項１の発明によれば、内部にハーネス挿通部が設けられたプロテクタの外部にアダプタ固定部が設けられ、コネクタをプロテクタに固定するアダプタを取り付けるアダプタ取付構造であって、アダプタ固定部にはアダプタがスライドして嵌合するプロテクタ側ガイドレールが設けられ、アダプタには、プロテクタ側ガイドレールにスライドして嵌合するアダプタ側ガイドレールが設けられ、アダプタ固定部又はアダプタのいずれか一方にスライド方向に沿う案内溝を設け、いずれか他方に該案内溝に挿入してアダプタをアダプタ固定部の正規位置に位置決め案内する位置決めリブを設けたことを特徴とする。
【０００８】
また、請求項２の発明によれば、請求項１記載のアダプタ取付構造であって、案内溝は、少なくとも位置決めリブを挿入する開口端がプロテクタの側面に位置して視認可能であることを特徴とする。
【発明の効果】
【０００９】
本発明は、アダプタ固定部又はアダプタにスライド方向に沿う案内溝を設け、他方に該案内溝に挿入してアダプタをアダプタ固定部の正規位置に位置決め案内する位置決めリブを設けたことにより、アダプタとプロテクタを正規位置に位置決めすることができ、例えめくら作業であっても、容易にアダプタをプロテクタに取り付けることができる。
【００１０】
また、アダプタをプロテクタに斜めに挿入した場合であっても、位置決めリブが案内溝内に挿入されるので、位置決めリブによってアダプタとプロテクタが半嵌合するのを防止することができる。
【００１１】
さらに、案内溝を、少なくとも位置決めリブを挿入する開口端がプロテクタの側面に位置して視認可能とすることにより、目くら作業でも、より確実にアダプタとプロテクタを嵌合させることができ、かつ、アダプタとプロテクタが半嵌合することを防止することができる。
【図面の簡単な説明】
【００１２】
【図１】（ａ）アダプタの表面斜視図、（ｂ）アダプタの裏面斜視図。
【図２】アダプタをプロテクタに挿入する前の斜視図。
【図３】（ａ）アダプタがプロテクタに嵌合された斜視図、（ｂ）（ａ）のＡ−Ａ断面図。
【図４】従来のアダプタとプロテクタとの半嵌合状態を示す断面図。
【発明を実施するための形態】
【００１３】
以下、本発明の実施の形態について、図面を用いて詳細に説明する。
【００１４】
＜実施例１＞
図１〜３を用いて本発明のアダプタ取付構造を説明する。図１（ａ）は、本実施例のアダプタ１の表面１ａの斜視図である。また、図１（ｂ）は、アダプタ１の裏面１ｂの斜視図である。図２（ａ）、（ｂ）は、アダプタ１とプロテクタ２との組み付け前の状態を示す斜視図である。図３（ａ）は、アダプタ１をプロテクタ２にスライドして挿入している状態の斜視図であり、図３（ｂ）は、アダプタ１とプロテクタ２との嵌合状態を示す概略断面図である。
【００１５】
図１〜３に示すように、本実施例のアダプタ取付構造は、内部にハーネス挿通部が設けられたプロテクタ２と図示しないコネクタをプロテクタ２に取り付けるためのアダプタ１とから構成されている。
【００１６】
プロテクタ２は、略箱状に形成され、プロテクタ内部をハーネスが挿通するハーネス挿通部とプロテクタ２の表面に設けられたアダプタ固定部３とから構成されている。
【００１７】
アダプタ固定部３は、後述するアダプタ１がスライドして嵌合する断面Ｌ字状の一対のプロテクタ側ガイドレール８とアダプタ１のスライド挿入方向に沿う案内溝９とから構成されている。
【００１８】
プロテクタ側ガイドレール８は、プロテクタ２の表面から突出する突設壁８ａと、この突設壁８ａの先端から離間する方向に突設する突設片８ｂとから構成されて略Ｌ字形状となっている。本実施例においては、プロテクタ側ガイドレール８が２箇所に設けられており、アダプタ１をプロテクタ２の嵌合をより確実なものとしている。この一対の突設壁８ａ間には、後述するアダプタ１の固定爪部１４ａが嵌合される固定片部８ｃが形成されている。
【００１９】
プロテクタ側ガイドレール８と一定の間隔を置いて形成される案内溝９は、プロテクタ２の表面２ａにおいて一端から他端にかけて形成され、端部にはそれぞれ拡幅部９ａが設けられている。また、案内溝９の深さは、アダプタ１に設けられる位置決めリブ６の突出高さとほぼ同じか、位置決めリブ６の突出高さよりも深く形成されることが好ましい。また、案内溝９の幅においても、位置決めリブ６の厚さとほぼ同じ幅とするか、もしくは位置決めリブ６の厚さよりも幅を大きくすることが望ましい。
【００２０】
上記において説明したプロテクタ２に取り付けられるアダプタ１は、略台形形状の本体部４とアダプタ１の裏面１ｂに設けられプロテクタ２に固定する固定部５と、プロテクタ２に設けられた案内溝９内に挿入される位置決めリブ６とから構成されている。
【００２１】
アダプタ１の本体部４の表面１ａには、図示しないコネクタが固定される固定部５が表面１ａから突設して形成されている。また、固定部５には、アダプタ１にコネクタを取り付ける際に、コネクタを案内するコネクタ案内溝１０が設けられ、コネクタ案内溝１０の端部には、コネクタをアダプタ１に固定するコネクタ嵌合部１１がアダプタ１の表面１ａから突出するように弾性を有して形成されている。
【００２２】
アダプタ１の裏面１ｂには、プロテクタ２に設けられたプロテクタ側ガイドレール８に挿入され係合するアダプタ側ガイドレール１２とプロテクタ２の案内溝９に挿入される位置決めリブ６が形成されている。
【００２３】
このアダプタ側ガイドレール１２は、一端側には幅広凹部１３が形成され、他端側には、幅狭凹部１４が形成されている。幅狭凹部１４には、プロテクタ側ガイドレール８の突設片８ｂと嵌合するアダプタ側突設片１２ａが互いに近接するように突設している。また、幅狭凹部１４内には、略三角形状の固定爪部１４ａが位置決めリブ６と同方向に突出して設けられ、一対のプロテクタ側ガイドレール８間に設けられる固定片部８ｃに嵌合する形状となっている。
【００２４】
アダプタ１の裏面１ｂから突出するように形成される位置決めリブ６は、アダプタ側ガイドレール１２に沿うように突設されている。この位置決めリブ６のアダプタ１裏面１ｂからの突出高さは、案内溝９の深さによって適宜変更可能である。
【００２５】
次に、アダプタ１をプロテクタ２に取り付ける手順について説明する。
【００２６】
図２、図３（ａ）に示すように、アダプタ１の裏面１ｂに設けられた位置決めリブ６とプロテクタ２の表面２ａに設けられた案内溝９とを対峙させ、幅広凹部１３にプロテクタ側ガイドレール８が収容されるように配置し、かつ、アダプタ１の裏面１ｂに設けられた案内溝９に位置決めリブ６を挿入する。
【００２７】
そして、幅広凹部１３から幅狭凹部１４へ向けて位置決めリブ６が案内溝９を摺動するようにスライドさせる。
【００２８】
このように、案内溝９内を位置決めリブ６が修道するようにアダプタ１をプロテクタ２に対してスライドさせることにより、アダプタ１の裏面１ｂに設けられた位置決めリブ６が、プロテクタ２の表面２ａに設けられた案内溝９に案内され、正規位置にアダプタ１を位置決めする。位置決めリブ６が案内溝９に挿入されることによって、断面略U字状のアダプタ側ガイドレール１２にプロテクタ２に設けられた一対の断面Ｌ字状のプロテクタ側ガイドレール８が挿入してプロテクタ側ガイドレール８の突設片８ｂがアダプタ側ガイドレール１２のアダプタ側突設片１２ａと係止することで、アダプタ１がプロテクタ２に取り付けられて嵌合する。
【００２９】
本実施例では、アダプタに位置決めリブを設け、プロテクタに案内溝を設け、案内溝に位置決めリブを挿入し、案内溝に沿って位置決めリブをスライドさせることによって、アダプタとプロテクタを正規位置に位置決めすることができ、例えめくら作業であっても、容易にアダプタとプロテクタを嵌合させることができる。
【００３０】
また、アダプタをプロテクタに斜めに挿入した場合、位置決めリブによってアダプタとプロテクタが半嵌合するのを防止することができる。
【００３１】
さらに、案内溝を、少なくとも位置決めリブを挿入する開口端がプロテクタの側面に位置して視認可能とすることにより、目くら作業であっても、より確実にアダプタとプロテクタを嵌合させることができ、かつ、アダプタとプロテクタが半嵌合することを防止することができる。
【００３２】
本実施例において、位置決めリブは、アダプタの裏面に設けられているが、アダプタ側ガイドレールに干渉しない箇所であれば、アダプタの裏面であればどこに設けてもよい。この場合、アダプタ側ガイドレールと挿入方向が同一方向であればよい。
【００３３】
また、本実施例において、位置決めリブは、アダプタの裏面に設けているが、プロテクタの表面に設けてもよい。この場合、案内溝をアダプタの裏面に設けることが好ましい。さらに、位置決めリブの挿入方向先端部分にテーパ部を設け、テーパ部が位置決めリブを案内溝に案内するような構成としてもよい。
【００３４】
さらに、本実施例では、アダプタをプロテクタに固定する例を示したが、プロテクタ以外のコネクタに取り付ける場合にも適用してもよい。
【産業上の利用可能性】
【００３５】
本発明は、コネクタをアダプタを介してプロテクタに取り付ける際に利用することができる。
【符号の説明】
【００３６】
１  アダプタ
２  プロテクタ
３  アダプタ固定部
４  本体部
５  固定部
６  位置決めリブ
８  プロテクタ側ガイドレール
９  案内溝
１０  コネクタ案内溝
【図１】
0005808256.tif 000002
【図２】
0005808256.tif 000003
【図３】
0005808256.tif 000004
【図４】
0005808256.tif 000005